(57)【要約】【課題】製造コストの上昇を抑制しつつ、据付台内の通気路における結露の発生を効果的に防止すること。【解決手段】据付台（３）に冷蔵冷凍庫本体を載置してなる冷蔵冷凍庫用換気構造において、冷蔵冷凍庫本体の底面を天井面とし、据付台内に配置された第１の側壁（３１）及び第１の側壁に対向する第２の側壁（３２）、並びに、第１、第２の側壁と交差する第３の側壁（３３）及び第３の側壁に対向する第４の側壁（３４）で規定される第１の通気路（４１）と、第１の側壁に配置され、外気を第１の通気路内に導入する給気手段（５）と、第４の側壁のうち、第２の側壁の近傍に配置された第１の開口部（６）と、第１の側壁に形成された第２の開口部（７）と、を具備する構成とした。【選択図】図２
2019032128.tif 000002
【特許請求の範囲】
【請求項１】
据付台に冷蔵冷凍庫本体を載置してなる冷蔵冷凍庫用換気構造であって、
前記冷蔵冷凍庫本体の底面を天井面とし、前記据付台の一部で構成される第１の側壁及び前記第１の側壁に対向する第２の側壁、並びに、前記第１、第２の側壁と交差する第３の側壁及び前記第３の側壁に対向する第４の側壁で規定される第１の通気路と、
前記第１の側壁に配置され、外気を前記第１の通気路内に導入する給気手段と、
前記第４の側壁のうち、前記第２の側壁の近傍に配置された第１の開口部と、
前記第１の側壁に形成された第２の開口部と、を具備することを特徴とする冷蔵冷凍庫用換気構造。
【請求項２】
前記給気手段は、前記第１の側壁のうち、前記第３の側壁の近傍に配置され、
前記第２の開口部は、前記第１の側壁のうち、前記第４の側壁の近傍に配置されることを特徴とする請求項１に記載の冷蔵冷凍庫用換気構造。
【請求項３】
前記第２の開口部は、前記第１の開口部よりも開口面積が小さいことを特徴とする請求項１又は請求項２に記載の冷蔵冷凍庫用換気構造。
【請求項４】
前記第１の通気路に隣接して配置され、前記第１の開口部を介して連通し、前記冷蔵冷凍庫本体の底面を天井面とし、前記第１、第２の側壁及び第４の側壁と、前記第３の側壁の反対側で前記第４の側壁に対向する第５の側壁とで規定される第２の通気路と、
前記第２の通気路を規定する前記第１の側壁に配置され、前記第２の通気路内の空気を排出する排気手段と、
前記第２の通気路を規定する前記第１の側壁に形成された第３の開口部と、を更に具備することを特徴とする請求項１から請求項３のいずれかに記載の冷蔵冷凍庫用換気構造。
【請求項５】
前記排気手段は、前記第２の通気路を規定する前記第１の側壁のうち、前記第４の側壁の近傍に配置され、
前記第３の開口部は、前記第５の側壁の近傍に配置されることを特徴とする請求項４に記載の冷蔵冷凍庫用換気構造。
【請求項６】
前記第３の開口部は、前記第１の開口部よりも開口面積が小さいことを特徴とする請求項４又は請求項５に記載の冷蔵冷凍庫用換気構造。
【請求項７】
前記第４の側壁のうち、前記第１の開口部よりも前記第１の側壁側に少なくとも１つの中間開口部を形成したことを特徴とする請求項４から請求項６のいずれかに記載の冷蔵冷凍庫用換気構造。
【請求項８】
前記第４の側壁に複数の前記中間開口部を形成し、前記第２の側壁側に配置された前記中間開口部の方が、前記第１の側壁側に配置された前記中間開口部よりも通気量が大きく構成されることを特徴とする請求項５に記載の冷蔵冷凍庫用換気構造。
【請求項９】
前記第１の通気路と前記第２の通気路とからなる換気ユニットを複数備えることを特徴とする請求項４から請求項８のいずれかに記載の冷蔵冷凍庫用換気構造。
【請求項１０】
前記複数の換気ユニットのうち、第１の換気ユニットにおける前記第５の側壁が、第２の換気ユニットにおける前記第３の側壁となるように前記換気ユニットを並べて配置し、
前記第１の換気ユニットにおいて、前記第５の側壁における前記第２の側壁の近傍に、前記第１の換気ユニットにおける前記第２の通気路と前記第２の換気ユニットにおける前記第１の通気路とを連結する連結孔を形成したことを特徴とする請求項９に記載の冷蔵冷凍庫用換気構造。
【発明の詳細な説明】
【技術分野】
【０００１】
本発明は、冷蔵冷凍庫用換気構造に関する。
【背景技術】
【０００２】
物流センター等に設置される冷蔵冷凍庫においては、床面上に据付台を敷設し、その上に冷凍冷蔵庫本体が設置されることが多い。通常、据付台は、断面が四角形状の樹脂材によって、冷凍冷蔵庫本体の底面の少なくとも周縁部を支持するように枠組みされた構成を有している。
【０００３】
従来、このような据付台内に発生する結露の発生を防止すべく、据付台内に強制的に対流を発生させる冷蔵庫が提案されている（例えば、特許文献１参照）。この冷蔵庫においては、冷蔵庫本体の底面を天井面とする通気路を据付台内に構成する一方、据付台の一部に送風手段と開口部を配置し、外気を強制的に通気路内に送り込むことで、通気路内に一定の流れを発生させ、結露による弊害を防止できるとしている。
【先行技術文献】
【特許文献】
【０００４】
【特許文献１】特開２０００−１８００２５号公報
【発明の概要】
【発明が解決しようとする課題】
【０００５】
しかしながら、上述した特許文献１に記載の冷蔵庫においては、据付台内に設けられた通気路の一部（例えば、据付台内の隅部等）に、空気が滞留する箇所が発生し易い。このため、通気路内における結露の発生を十分に防止することができない事態が発生し得る。結露の発生を防止する観点からは、通気路内の全体で滞留の発生を抑制することが要請される。
【０００６】
一方、上述した特許文献１に記載の冷蔵庫のような構造において、結露の発生を効果的に防止するべく、送風手段の性能を上げることや、通気路内の空気を加熱する加熱手段を追加することが考えられる。しかしながら、この場合には、高性能な送風手段や加熱手段の追加に伴い、製造コストが上昇してしまう。特に、冷蔵庫が大型化した場合には、このような製造コストの上昇が顕著となる。
【０００７】
本発明は、このような実情に鑑みてなされたものであり、製造コストの上昇を抑制しつつ、据付台内の通気路における結露の発生を効果的に防止することができる冷蔵冷凍庫用換気構造を提供することを目的の一つとする。
【課題を解決するための手段】
【０００８】
本発明の冷蔵冷凍庫用換気構造は、据付台に冷蔵冷凍庫本体を載置してなる冷蔵冷凍庫用換気構造であって、前記冷蔵冷凍庫本体の底面を天井面とし、前記据付台の一部で構成される第１の側壁及び前記第１の側壁に対向する第２の側壁、並びに、前記第１、第２の側壁と交差する第３の側壁及び前記第３の側壁に対向する第４の側壁で規定される第１の通気路と、前記第１の側壁に配置され、外気を前記第１の通気路内に導入する給気手段と、前記第４の側壁のうち、前記第２の側壁の近傍に配置された第１の開口部と、前記第１の側壁に形成された第２の開口部と、を具備することを特徴とする。
【発明の効果】
【０００９】
本発明によれば、製造コストの上昇を抑制しつつ、据付台内の通気路における結露の発生を効果的に防止することができる。
【図面の簡単な説明】
【００１０】
【図１】本実施の形態に係る換気構造が適用される冷蔵冷凍庫の全体構成及び据付台内の構造を示す模式図である。
【図２】第１の実施の形態に係る冷蔵冷凍庫用換気構造が有する換気ユニットの構成を示す斜視図及び上面図である。
【図３】第１の実施の形態に係る冷蔵冷凍庫用換気構造が有する換気ユニット内の空気の流れの説明図である。
【図４】第１の実施の形態の変形例に係る冷蔵冷凍庫用換気構造が有する換気ユニットの構成を示す上面図である。
【図５】第１の実施の形態に係る冷蔵冷凍庫用換気構造の適用例の説明図である。
【図６】第２の実施の形態に係る冷蔵冷凍庫用換気構造が有する換気ユニットの構成を示す上面図である。
【図７】第３の実施の形態に係る冷蔵冷凍庫用換気構造が有する換気ユニットの構成を示す上面図である。
【図８】第４の実施の形態に係る冷蔵冷凍庫用換気構造の構成を示す上面図である。
【図９】第５の実施の形態に係る冷蔵冷凍庫用換気構造が有する換気ユニットの構成を示す上面図である。
【図１０】第５の実施の形態に係る冷蔵冷凍庫用換気構造が有する換気ユニットの構成を示す上面図である。
【発明を実施するための形態】
【００１１】
以下、本実施の形態について添付図面を参照して詳細に説明する。本発明に係る冷蔵冷凍庫用換気構造は、例えば、物流センターに設置される冷蔵冷凍庫に適用される。しかしながら、本発明に係る冷蔵冷凍庫用換気構造は、これに限定されるものではなく、物流センター以外の施設（例えば、食品販売店やコンビニエンスストア）に設置された冷蔵冷凍庫にも適用することができる。さらに、冷蔵冷凍庫に限らず、冷凍機能を有さない冷蔵庫や、冷蔵機能を有さない冷凍庫にも適用することができる。
【００１２】
物流センター等に設置される冷蔵冷凍庫においては、床面上に据付台を敷設し、その上に冷凍冷蔵庫本体が設置されることが多い。通常、据付台は、断面が四角形状の樹脂材によって、冷凍冷蔵庫本体の底面の少なくとも周縁部を支持するように枠組みされた構成を有している。従来、このような据付台内に発生する結露の発生を防止すべく、冷蔵庫本体の底面を天井面とする通気路を据付台内に構成する一方、据付台の一部に送風手段と開口部を配置し、外気を強制的に通気路内に送り込むことで、通気路内に一定の流れを発生させ、結露による弊害を防止する冷蔵庫が提案されている。
【００１３】
しかしながら、このような冷蔵庫においては、据付台内に設けられた通気路の一部（例えば、据付台内の隅部等）に、空気が滞留する箇所が発生し易い。このため、通気路内における結露の発生を十分に防止することができない事態が発生し得る。一方、このような冷蔵庫において、結露の発生を効果的に防止するべく、送風手段の性能を上げることや、通気路内の空気を加熱する加熱手段を追加することが考えられる。しかしながら、この場合には、送風手段や加熱手段の追加に伴って製造コストが上昇してしまう。特に、大型冷蔵庫に適用する場合、製造コストが大幅に上昇してしまう。
【００１４】
本発明者らは、外気を通気路内に送り込む給気手段及び通気路内の空気を排出する開口部の配置によって通気路内の滞留が発生し、結果として通気路内に結露が発生している点に着目した。そして、通気路を規定する側壁の所定位置に対して、給気手段と一対の第１、第２の開口部とを配置することが、通気路内における空気の循環効率を改善して結露の発生防止に寄与することを見出し、本発明に想到した。
【００１５】
すなわち、本発明の骨子は、冷蔵冷凍庫本体の底面を天井面とし、据付台の一部で構成される第１の側壁及び第１の側壁に対向する第２の側壁、並びに、第１、第２の側壁と交差する第３の側壁及び第３の側壁に対向する第４の側壁で規定される第１の通気路と、第１の側壁に配置され、外気を第１の通気路内に導入する給気手段と、第４の側壁のうち、第２の側壁の近傍に配置された第１の開口部と、第１の側壁に形成された第２の開口部と、を具備することである。
【００１６】
本発明によれば、通気路（第１の通気路）を規定する同一の第１の側壁に給気手段及び第２の開口部を設ける一方、第４の側壁における第１の側壁から離れた位置に第１の開口部を設けることから、通気路内に、給気手段から第２の側壁側に進んで第１の開口部に向かう気流と、第１の開口部から排気されず、第２の側壁側から第１の側壁側に進んで第２の開口部に向かう気流と、第２の開口部から排出されず、給気手段の送風経路に戻って循環する気流とが形成される。これにより、通気路内の空気を滞留させることなく、通気路内の全域で空気を循環させることができるので、据付台内の通気路における結露の発生を効果的に防止することができる。また、通気路内の空気の循環効率を向上されるので、給気手段の性能向上や加熱手段の追加等を必要とすることがない。このため、製造コストの上昇を抑制しつつ、据付台内の通気路における結露の発生を効果的に防止することができる。
【００１７】
以下、本発明の複数の実施の形態に係る冷蔵冷凍庫用換気構造（以下、適宜「換気構造」という）が適用される冷蔵冷凍庫の構成について、図１を参照して説明する。図１は、本実施の形態に係る換気構造が適用される冷蔵冷凍庫１の全体構成（図１Ａ）及び据付台３内の構造（図１Ｂ）を示す模式図である。
【００１８】
図１Ａに示すように、本実施の形態に係る冷蔵冷凍庫１は、物流センター等のフロア２上に設置される。冷蔵冷凍庫１は、据付台３を介してフロア２に設置される。冷蔵冷凍庫１は、概して箱形状を有し、その内部に装備された温度調節設備により内部温度を所望の温度に調整可能に構成されている。冷蔵冷凍庫１は、開閉扉１１を有し、この開閉扉１１を介して要冷食品等が収納／保管される。
【００１９】
図１Ｂに示すように、据付台３は、フロア２に載置され、冷蔵冷凍庫１の底面１２を支持している。詳細について後述するように、据付台３は、冷凍冷蔵庫１の底面１２の少なくとも周縁部を支持するように枠組みされた構成を有している。据付台３の内部には、冷蔵冷凍庫１の底面１２を天井面とし、フロア２の上面２１を底面とし、据付台３の一部である側壁（内壁面）に規定される通気路４が形成されている。
【００２０】
（第１の実施の形態）
図２Ａ及び図２Ｂは、それぞれ第１の実施の形態に係る換気構造１００が有する換気ユニット１０１の構成を示す斜視図及び上面図である。第１の実施の形態に係る換気構造１００は、図２に示す換気ユニット１０１を単一で備え、或いは、換気ユニット１０１を複数組み合わせて構成することができる（図５参照）。なお、図２Ａにおいては、説明の便宜上、フロア２の一部を示している。以下では、図２に示す前後方向及び左右方向を、換気構造１００（換気ユニット１０１）の前後方向及び左右方向と呼ぶものとする。
【００２１】
図２に示すように、第１の実施の形態に係る換気ユニット１０１は、据付台３の一部で規定される第１の通気路４１と、この第１の通気路４１内に据付台３の外部の空気（外気）を導入する給気ファン５と、第１の通気路４１内の空気を排気するための第１、第２の開口部６、７とを含んで構成される。なお、給気ファン５は、給気手段の一例を構成するものである。また、第１、第２の開口部６、７は、第１、第２の排気孔と呼ぶこともできる。
【００２２】
第１の通気路４１は、据付台３の一部で構成される第１の側壁３１及びこの第１の側壁３１に対向する第２の側壁３２と、第１、第２の側壁３１、３２と交差する第３の側壁３３及びこの第３の側壁３３に対向する第４の側壁３４で規定される。第１、第２の側壁３１、３２は、それぞれ換気ユニット１０１の前端、後端に配置される。第３、第４の側壁３３、３４は、第１の通気路４１に対して、それぞれ換気ユニット１０１の右端、左端に配置される。第１の通気路４１は、上面視にて、換気ユニット１０１の前後方向に長手方向を有する長方形状の空間で構成される。なお、第１通気路４１の上下方向の寸法は、据付台３の厚さ方向の寸法と一致する。
【００２３】
給気ファン５及び第２の開口部７は、第１の側壁３１に配置される。より具体的にいうと、給気ファン５は、第１の側壁３１のうち、第３の側壁３３の近傍（換気ユニット１０１の右端近傍）に配置される。第２の開口部７は、第１の側壁３１のうち、第４の側壁３４の近傍（換気ユニット１０１の中央近傍）に配置される。すなわち、給気ファン５及び第２の開口部７は、第１の通気路４１の前端部における左右両端部に配置されている。なお、第２の開口部７は、第１の開口部６よりも開口面積が小さく構成されているが、これに限定されない。
【００２４】
第１の開口部６は、第４の側壁３４のうち、第２の側壁３２の近傍（換気ユニット１０１の後端近傍）に配置される。第１の開口部６は、第１の通気路４１の後端部周辺における左方側の位置に配置されている。すなわち、第１の開口部６は、第１の通気路４１にて、給気ファン５及び第２の開口部７から前後方向に最も離れた位置に配置されている。例えば、第１の開口部６は、第４の側壁３４に形成された複数（本実施の形態では、３つ）の小孔で構成される。
【００２５】
また、第１の実施の形態に係る換気ユニット１０１は、第１の通気路４１に隣接して配置され、据付台３の一部で規定される第２の通気路４２と、この第２の通気路４２内の空気を排出する排気ファン８と、第２の通気路４２外の空気（外気）を吸気するための第３の開口部９とを含んで構成される。なお、排気ファン８は、排気手段の一例を構成するものである。また、第３の開口部９は、吸気孔と呼ぶこともできる。
【００２６】
第２の通気路４２は、第１、第２の側壁３１、３２と、第４の側壁３４及び第３の側壁３３の反対側（左方側）で第４の側壁３４に対向する第５の側壁３５とで規定される。第２の通気路４２は、第１の通気路４１と共通の形状を有する。すなわち、第２の通気路４２は、上面視にて、換気ユニット１０１の前後方向に長手方向を有する長方形状の空間で構成される。第２の通気路４２は、第４の側壁３４に形成された第１の開口部６により第１の通気路４１と連通している。
【００２７】
排気ファン８及び第３の開口部９は、第２の通気路４２を規定する第１の側壁３１に配置される。より具体的にいうと、排気ファン５は、第１の側壁３１のうち、第４の側壁３４の近傍（換気ユニット１０１の中央近傍）に配置される。第３の開口部７は、第１の側壁３１のうち、第５の側壁３５の近傍（換気ユニット１０１の左端近傍）に配置される。すなわち、排気ファン８及び第３の開口部９は、第２の通気路４２の前端部における左右両端部に配置されている。なお、第３の開口部９は、第１の開口部６よりも開口面積が小さく構成されているが、これに限定されない。
【００２８】
ここで、第１の実施の形態に係る換気ユニット１０１内における空気の流れについて、図３を参照して説明する。図３は、第１の実施の形態に係る換気構造１００が有する換気ユニット１０１内の空気の流れの説明図である。なお、以下においては、給気ファン５及び排気ファン８の双方を駆動する場合について説明する。
【００２９】
図３に示すように、給気ファン５を駆動すると、据付台３の外部の空気（外気）が第１の通気路４１内に導入される。ここで、給気ファン５は、第３の側壁３３の近傍に配置される。このため、第１の通気路４１内の導入された空気は、給気ファン５の風力によって、第３の側壁３３の近傍を換気ユニット１０１の後方側（第２の側壁３２側）に進む。
【００３０】
換気ユニット１０１の後方側に進んで第２の側壁３２に到達した空気は、第２の側壁３２に沿って方向を変更し、換気ユニット１０１の左方側（図３に示す上方側）に進む。左方側に進んだ空気の一部は、その進行方向に配置された第１の開口部６から第２の通気路４２内に流入する。一方、第２の通気路４２内に流入しなかった空気は、第４の側壁３４に沿って換気ユニット１０１の前方側（第１の側壁３１側）に進む。
【００３１】
第１の側壁３１側に進んだ空気の一部は、その進行方向に配置された第２の開口部７から据付台３の外部に排出される。詳細について後述するように、第２の開口部７から排出される空気は、排気ファン８の駆動に伴って発生する気流によって引き寄せられ（誘引され）、据付台３の外部に効率的に引き出される。一方、第２の開口部７から据付台３の外部に排出されなかった空気は、第１の側壁３１に沿って換気ユニット１０１の右方側（図３に示す下方側）に進む。第３の側壁３３の近傍に進んだ空気は、給気ファン５の送風経路上に進み、給気ファン５から送り込まれる空気によって、再び第３の側壁３３の近傍を換気ユニット１０１の後方側（第２の側壁３２側）に進む。
【００３２】
このように第１の通気路４１内には、給気ファン５から第２の側壁３２側に進んで第１の開口部６に向かう気流と、第１の開口部６から排出されず、第２の側壁３２側から第１の側壁３１側に進んで第２の開口部７に向かう気流と、第２の開口部７から排出されず、給気ファン５の送風経路に戻って循環する気流とが形成される。これにより、第１の通気路４１内の空気を滞留させることなく、その全域で空気を循環させることができるので、据付台３内の第１の通気路４１における結露の発生を効果的に防止することができる。また、第１の通気路４１内の空気の循環効率が向上されるので、給気ファン５の性能向上や加熱手段の追加等を必要とすることがない。このため、製造コストの上昇を抑制しつつ、据付台３内の第１の通気路４１における結露の発生を防止することができる。
【００３３】
特に、給気ファン５が第１の側壁３１のうち、第３の側壁３３の近傍に配置される一方、第２の開口部７が第４の側壁３４の近傍に配置されている。また、第１の開口部６が第４の側壁３４のうち、第２の側壁３２の近傍に配置されている。このため、給気ファン５から第２の側壁３２側に進んで第１の開口部６に向かう気流を第３の側壁３３近傍で形成すると共に、第１の開口部６から排気されず、第２の側壁３２側から第１の側壁３２側に進んで第２の開口部７に向かう気流を第４の側壁３４近傍に形成することができる。これにより、第１の通気路４１内の隅部における空気の滞留を効果的に防止できるので、第１の通気路４１の隅部周辺における結露の発生を効果的に防止することができる。
【００３４】
一方、第１の開口部６から第２の通気路４２に流入した空気は、第２の側壁３２に沿って換気ユニット１０１の左方側（図３に示す上方側）に進む。換気ユニット１０１の左方側に進んで第５の側壁３５に到達した空気は、第５の側壁３５に沿って方向を変更し、換気ユニット１０１の前方側（第１の側壁３１側）に進む。
【００３５】
第２の通気路４２を規定する第１の側壁３１には、排気ファン８が第４の側壁３４の近傍に配置されている。このため、換気ユニット１０１の前方側に進む空気は、第２の通気路４２内にて換気ユニット１０１の右方側（図３に示す下方側）に引き寄せられながら進む。そして、排気ファン８の送風力により据付台３の外部に排出される。
【００３６】
排気ファン８の送風力により据付台３の外部に排出された気流は、その周囲の空気を引き寄せながら換気ユニット１０１の前方側に進む。この場合において、第２の開口部７は、排気ファン８の近傍に配置されている。このため、第２の開口部７から排出された空気は、この排気ファン８の送風力によって引き寄せられ、前方側に送り出される。これにより、第１の通気路４１内にて、第４の側壁３４近傍を前方側に進む空気を第２の開口部７から効率的に排出することができる。
【００３７】
また、排気ファン９が駆動される場合、内部の空気が排出されることによって第２の通気路４２内の空気圧が負圧になる。一方、第２の通気路４２を規定する第１の側壁３１には、第３の開口部９が形成されている。このため、第２の通気路４２内には、第３の開口部９を介して据付台３の外部の空気（外気）が引き込まれる。第３の開口部９から引き込まれた空気は、排気ファン８の送風力によって引き寄せられ、据付台３の外部に排出される。
【００３８】
このように第２の通気路４２を規定する同一の第１の側壁３１に排気ファン８及び第３の開口部９を設けることから、第２の通気路４２内に、第１の開口部６から流入した空気が第１の側壁３１側に進んで排気ファン８に向かう気流と、第３の開口部９周辺から排気ファン８に向かう気流とが形成される。これにより、第２の通気路４２内の空気を効率的に排気ファン８側に流動させることができるので、第２の通気路４２内における空気の滞留を防止でき、第２の通気路４２における結露の発生を効果的に防止することができる。
【００３９】
特に、第２の通気路４２では、排気ファン８が第１の側壁３１のうち、第４の側壁３４の近傍に配置される一方、第３の開口部９が第５の側壁３５の近傍に配置されることから、第１の開口部６から流入し、第５の側壁３５側に向かった空気を排気ファン８側に流動させることができると共に、第５の側壁３５近傍に配置された第３の開口部９から第４の側壁３４近傍に配置された排気ファン８に空気を流動させることができる。これにより、第２の通気路４２内の隅部における空気の滞留を効果的に防止できるので、第２の通気路４２の隅部周辺における結露の発生を効果的に防止することができる。
【００４０】
なお、第１の実施の形態に係る換気ユニット１０１においては、第１の通気路４１と第２の通気路４２とを組み合わせた場合について説明している。しかしながら、換気ユニット１０１の構成については、これに限定されるものではなく適宜変更が可能である。例えば、第１の通気路４１とその周辺の構成要素のみで換気ユニット１０１を構成してもよい。この場合、換気ユニット１０１は、第１の通気路４１、給気ファン５及び第１、第２の開口部６、７により構成され、第１、第２の開口部６、７から第１の通気路４１内の空気が据付台３の外部に排出される。このように換気ユニット１０１を構成する場合においても、第１の通気路４１の構成で得られる効果を奏することができる。
【００４１】
なお、第１の実施の形態に係る換気ユニット１０１では、第１の通気路４１において、給気ファン５が第１の側壁３１のうち、第３の側壁３３の近傍に配置される一方、第２の開口部７が第４の側壁３４の近傍に配置される場合について説明している。しかしながら、第１の側壁３１に配置されることを条件として、給気ファン５及び第２の開口部７の位置は適宜変更が可能である。同様に、第２の通気路４２において、排気ファン８が第１の側壁３１のうち、第４の側壁３４の近傍に配置される一方、第３の開口部９が第５の側壁３５の近傍に配置される場合について説明している。しかしながら、第１の側壁３１に配置されることを条件として、排気ファン８及び第３の開口部９の位置は適宜変更が可能である。
【００４２】
また、第１の実施の形態に係る換気ユニット１０１においては、第１の開口部６を複数の小孔で構成する場合について説明している。しかしながら、第１の開口部６の構成については、これに限定されるものではなく適宜変更が可能である。第１の開口部６は、第２の側壁３２の近傍の位置（第１の側壁３１から離間した位置）に配置されることを前提として任意の構成を採用することができる。
【００４３】
図４は、第１の実施の形態の変形例に係る換気ユニット１０１´の構成を示す上面図である。なお、図４に示す換気ユニット１０１´において、図２と共通の構成については同一の符号を付与し、その説明を省略する。図４に示すように、変形例に係る換気ユニット１０１´においては、第４の側壁３４の後端部を第２の側壁３２から離間させることで形成される単一の開口によって第１の開口部６´を構成している。このように単一の開口で第１の開口部６´を構成する場合であっても、上記実施の形態と同様の効果を得ることができる。
【００４４】
以下、第１の実施の形態に係る換気構造１００の適用例について、図５を参照して説明する。図５は、第１の実施の形態に係る換気構造１００の適用例の説明図である。図５に示すように、第１の実施の形態に係る換気構造１００は、図２に示す換気ユニット１０１を複数組み合わせて、或いは、図２に示す換気ユニット１０１と換気ユニット１０１の一部を組み合わせて構成される。
【００４５】
図５Ａにおいては、図２に示す換気ユニット１０１を換気構造１００の左右に３個並べる一方、３個の換気ユニット１０１を前後方向に反転して換気構造１００の後方側に並べた構成を有している。この場合、左方側の換気ユニット１０１の第３の側壁３３が、隣接する右方側の換気ユニット１０１の第５の側壁３５を兼ねる構成を有している。
【００４６】
このように換気構造１００を構成する場合においても、換気ユニット１０１毎に上述した換気性能を確保することができるので、換気構造１００全体で通気路（第１、第２の通気路４１、４２）における結露の発生を効果的に防止することができる。この結果、冷蔵冷凍庫１本体が大型化した場合であっても、換気ユニット１０１を組み合せることにより、製造コストの上昇を抑制しつつ、通気路（第１、第２の通気路４１、４２）における結露を防止することができる。
【００４７】
図５Ｂにおいては、図５Ａに示す換気構造１００における最も左方側の換気ユニット１０１の一部（第１、第２の通気路４１、４２）を省略した構成を有している。すなわち、図５Ｂに示す換気構造１００では、前方側に第１の通気路４１及びその周辺構成要素のみからなる換気ユニット１０１ａが配置され、後方側に第２の通気路４２及びその周辺構成要素のみからなる換気ユニット１０１ｂが配置されている。この場合、換気ユニット１０１ａでは、第３の側壁３３が隣接する右方側の換気ユニット１０１の第５の側壁３５を兼ねる構成を有している。また、換気ユニット１０１ｂでは、第４の側壁３４が隣接する右方側の換気ユニット１０１の第５の側壁３５を兼ねる構成を有している。
【００４８】
図５Ｃにおいては、図５Ａに示す換気構造１００における右方側部分に、左右方向に長手方向を配置した換気ユニット１０１を配置し、合計７個の換気ユニット１０１を備える構成を有している。最も左方側に配置された一対の換気ユニット１０１以外は、長手方向の寸法が僅かに短く構成されている。これらのように換気ユニット１０１の一部構成を組み合わせ、或いは、換気ユニット１０１の配置を変更した場合であっても、換気ユニット１０１（１０１ａ、１０１ｂ）毎に上述した換気性能を確保することができるので、換気構造１００全体で通気路（第１、第２の通気路４１、４２）における結露の発生を効果的に防止することができる。この結果、冷蔵冷凍庫１本体が大型化した場合であっても、換気ユニット１０１（１０１ａ、１０１ｂ）を組み合せることにより、製造コストの上昇を抑制しつつ、通気路（第１、第２の通気路４１、４２）における結露を防止することができる。
【００４９】
（第２の実施の形態）
第２の実施の形態に係る換気構造１００が有する換気ユニットは、第２の通気路４２の気流を分散させる構造部材を有する点で、第１の実施の形態に係る換気ユニット１０１と相違する。以下、第２の実施の形態に係る換気構造１００が有する換気ユニットの構成について、第１の実施の形態との相違点を中心に説明する。
【００５０】
図６は、第２の実施の形態に係る換気構造１００が有する換気ユニット１０２の構成を示す上面図である。図６において、図２Ｂと共通の構成については、同一の符号を付与してその説明を省略する。図６に示すように、換気ユニット１０２は、第２の通気路４２内に、気流を分散させる構造部材４２１、４２２を備える点で、第１の実施の形態に係る換気ユニット１０１と相違する。
【００５１】
構造部材４２１、４２２は、上面に凹凸部を有する構造部材で構成される。構造部材４２１、４２２は、同一の構成を有し、フロア２上に設置される。構造部材４２１、４２２は、上面視にて、長方形状を有している。構造部材４２１は、第２の通気路４２における後端部寄りであって、第５の側壁３５側（左方側）の位置に配置されている。構造部材４２１は、長手方向が換気ユニット１０２の左右方向に延在するように配置される。構造部材４２１は、短手方向の一辺（図６に示す上方側の辺）を第５の側壁３５の内壁に接触させた状態で第２の通気路４２に配置されている。構造部材４２１の短手方向の他辺（図６に示す下方側の辺）と側壁３４との間には間隙４２３が形成されている。
【００５２】
構造部材４２２は、第２の通気路４２における前端部近傍の位置に配置されている。構造部材４２２は、長手方向が換気ユニット１０２の前後方向に延在するように配置される。構造部材４２２は、短手方向の一辺（図６に示す左方側の辺）を第１の側壁３１の内壁に接触させた状態で第２の通気路４２に配置されている。構造部材４２２は、排気ファン８と第３の開口部９との間の位置に配置されている。
【００５３】
例えば、構造部材４２１、４２２の上面には、波型形状を有する凹凸部が設けられている。波型形状は、構造部材４２１、４２２の長手方向に直交する方向に配列されている。すなわち、構造部材４２１の波型形状は、換気ユニット１０２の前後方向に配列されている。構造部材４２２の波型形状は、換気ユニット１０２の左右方向に配列されている。これらの波型形状は、第２の通気路４２を流れる空気と接触し、空気を換気ユニット１０２の前後左右に分散／均一化させる役割を果たす。
【００５４】
ここで、第２の実施の形態における第２の通気路４２内の気流について、図３及び図６を参照して説明する。第２の実施の形態においても、第１の開口部６から第２の通気路４２内に流入した空気は、第１の実施の形態と同様に、第２の側壁３２に沿って換気ユニット１０２の左方側（図３に示す上方側）に進んだ後、第５の側壁３５に沿って方向を変更し、換気ユニット１０２の前方側（第１の側壁３１側）に進む。
【００５５】
第１の実施の形態に係る第２の通気路４２においては、上述したように、換気ユニット１０１の前方側に進む空気が、換気ユニット１０１の右方側（図３に示す下方側）に引き寄せられながら進む。この場合、換気ユニット１０１の後方側では第５の側壁３５側に気流が集中し、換気ユニット１０１の前方側では第４の側壁３４側に気流が集中する事態が発生し得る。これにより、気流が通過しない部分に空気が滞留する箇所（図６に示す破線領域Ａ、Ｂ参照）が発生する事態が想定される。
【００５６】
構造部材４２１は、換気ユニット１０２の後方側で集中する気流の経路上に配置されている。構造部材４２１に接触することにより、気流の一部は、図６に示すように、換気ユニット１０２の右方側に分散される。一方、構造部材４２１と第４の側壁３４との間には間隙４２３が設けられている。構造部材４２１により分散された空気は、間隙４２３側に回り込んで換気ユニット１０２の前方側に流動する。このため、第２の通気路４２における第４の側壁３４近傍の破線領域Ａに滞留し得る空気を押し流すことができ、破線領域Ａで滞留が発生するのを防止することができる。
【００５７】
一方、上述のように、排気ファン８の駆動に伴って、第２の通気路４２には第３の開口部９を介して据付台３の外部の空気（外気）が引き込まれる。第３の開口部９から引き込まれた空気は、排気ファン８の吸引力によって引き寄せられ、据付台３の外部に排出される。このような第３の開口部９から排気ファン８に向かう気流は、破線領域Ｂの前方側の空気を流動させるものの、破線領域Ｂの後方側の空気を効果的に流動させることは難しい。
【００５８】
構造部材４２２は、第３の開口部９から排気ファン８に向かう気流の経路上に配置されている。構造部材４２２に接触することにより、気流の一部は、図６に示すように、換気ユニット１０２の後方側に分散される。構造部材４２２により分散された空気は、構造部材４２２の後方側に回り込んで排気ファン８側に流動する。このため、第２の通気路４２における第５の側壁３５近傍の破線領域Ｂに滞留し得る空気を流動させることができ、破線領域Ｂで滞留が発生するのを防止することができる。
【００５９】
このように第２の実施の形態に係る換気ユニット１０２では、第２の通気路４２の気流を分散させる構造部材４２１、４２２を設けたことから、第２の通気路４２内所定箇所（特に、破線箇所Ａ、Ｂ）で発生し得る空気の滞留を防止することができる。これにより、第２の通気路４２内で発生する結露を効果的に防止することができる。
【００６０】
なお、第２の実施の形態に係る換気ユニット１０２において、構造部材４２１、４２２の構成や数については、上述した例に限定されるものではなく適宜変更が可能である。構造部材４２１、４２２は、波型形状以外の凹凸部を備えてもよい。また、第２の通気路４２の気流を分散させることを条件として、単一の構造部材を設置し、有りは、３つ以上の構造部材を設置するようにしてもよい。
【００６１】
（第３の実施の形態）
第３の実施の形態に係る換気構造１００が有する換気ユニットは、第２の通気路４２の気流を所望の方向に誘導する案内板を有する点で、第１の実施の形態に係る換気ユニット１０１と相違する。以下、第３の実施の形態に係る換気構造１００が有する換気ユニットの構成について、第１の実施の形態との相違点を中心に説明する。
【００６２】
図７は、第３の実施の形態に係る換気構造１００が有する換気ユニット１０３の構成を示す上面図である。図７において、図２Ｂと共通の構成については、同一の符号を付与してその説明を省略する。図７に示すように、換気ユニット１０３は、第１の開口部６近傍に、第２の通気路４２内に流入した空気を誘導する案内板４２４を備える点で、第１の実施の形態に係る換気ユニット１０１と相違する。
【００６３】
案内板４２４は、第１の開口部６から第２の通気路４２側に延在して設けられている。例えば、案内板４２４は、第２の通気路４２における底面から冷蔵冷凍庫１の底面１２の近傍まで延出して設けられる。例えば、案内板４２４は、一対の案内板４２４ａ、４２４ｂを含んで構成される。しかしながら、案内板４２４の構成については、これに限定されるものではなく適宜変更が可能である。
【００６４】
案内板４２４ａは、第１の開口部６を構成する小孔６ａと小孔６ｂとの間に配置される。案内板４２４ａは、上面視にて、第４の側壁３４に対して鋭角に傾斜して設けられており、第１の開口部６から流入する空気を第４の側壁３４近傍に案内する。一方、案内板４２４ｂは、第１の開口部６を構成する小孔６ｂと小孔６ｃとの間に配置される。案内板４２４ｂは、上面視にて、第４の側壁３４に対して案内板４２４ａよりも鈍角に傾斜して設けられ、第１の開口部（第１の排気孔）６から流入する空気を第５の側壁３５の前方側部分に案内する。
【００６５】
ここで、第３の実施の形態における第２の通気路４２内の気流について、図３及び図７を参照して説明する。第１の開口部６から第２の通気路４２内に流入した空気は、図７に示すように、案内板４２４により所定の方向に案内される。すなわち、案内板４２４ａ（より具体的には案内板４２４ａの前面）により第４の側壁３４の近傍に案内される一方、案内板４２４ｂ（より具体的には案内板４２４ｂの前面）により第５の側壁３５の前方側部分に案内される。また、小孔６ｃから流入した空気は、第２の側壁３２に沿って換気ユニット１０２の左方側（図７に示す上方側）に案内される。
【００６６】
図７に示すように、案内板４２４ａにより、第２の通気路４２における第４の側壁３４近傍に空気を案内することができるので、第４の側壁３４近傍の破線領域Ａで滞留が発生するのを防止することができる。
【００６７】
このように第３の実施の形態に係る換気ユニット１０３では、第２の通気路４２の気流を所望の方向に誘導する案内板４２４を設けたことから、第２の通気路４２内所定箇所（特に、破線箇所Ａ、Ｂ）で発生し得る空気の滞留を防止することができる。これにより、第２の通気路４２内で発生する結露を効果的に防止することができる。
【００６８】
なお、第３の実施の形態に係る換気ユニット１０３において、案内板４２４の構成や数については、上述した例に限定されるものではなく適宜変更が可能である。上述の例では、第１の開口部６を構成する小孔６ａ〜６ｃに対応付けて一対の案内板４２４ａ、４２４ｂを備える場合について説明しているが、第１の開口部６の構成に応じて任意の構成や数を採用することができる。
【００６９】
（第４の実施の形態）
第４の実施の形態に係る換気構造１００は、隣接する換気ユニット１０１間に連結孔を設ける点で、第１の実施の形態に係る換気構造１００と相違する。以下、第４の実施の形態に係る換気構造１００の構成について、第１の実施の形態との相違点を中心に説明する。
【００７０】
図８は、第４の実施の形態に係る換気構造１００の構成を示す上面図である。図８において、説明の便宜上、一対の換気ユニット１０１が左右方向に並べて配置された場合について説明する。しかしながら、第４の実施の形態に係る換気構造１００が備える換気ユニット１０１の数については、これに限定されるものではなく適宜変更が可能である。また、以下の説明では、説明の便宜上、図８に示す上方側に配置される換気ユニット１０１を換気ユニット１０１ｃと呼び、同図に示す下方側に配置される換気ユニット１０１を換気ユニット１０１ｄと呼ぶものとする。換気ユニット１０１ｃ、１０１ｄは、それぞれ第１、第２の換気ユニットの一例を構成するものである。
【００７１】
図８に示すように、第４の実施の形態に係る換気構造１００では、隣接する換気ユニット１０１ｃの第３の側壁３３（換気ユニット１０１ｄの第５の側壁３５）の一部に連結孔４２５が形成されている。連結孔４２５は、換気ユニット１０１ｃの第３の側壁３３（換気ユニット１０１ｄの第５の側壁３５）における第２の側壁３２の近傍に配置されている。連結孔４２５は、隣接する換気ユニット１０１ｃ、１０１ｄのそれぞれの第１の開口部６に対向して配置されている。
【００７２】
ここで、第４の実施の形態における第２の通気路４２内の気流について、図３及び図８を参照して説明する。第４の実施の形態においても、第１の通気路４１にて、換気ユニット１０１ｃの後方側に進んで第２の側壁３２に到達した空気は、第２の側壁３２に沿って方向を変更し、換気ユニット１０１の左方側（図３に示す上方側）に進む。
【００７３】
第１の実施の形態に係る第１の通気路４１においては、例えば、給気ファン５の不具合等によって、第２の通気路４２における負圧の空気圧に誘引され、後方側に進む空気が第２の側壁３２と第３の側壁３３の隅部まで到達することなく第１の開口部６側に進んでしまう事態が発生し得る（図８参照）。この場合、当該隅部（図８に示す破線領域Ｃ）には、空気の滞留が発生し、この滞留に起因して結露が発生する事態が想定される。
【００７４】
第４の実施の形態においては、換気ユニット１０１ｃにおける第２の側壁３２と第３の側壁３３の隅部の近傍に連結孔４２５を設けている。このため、第１の通気路４１内で後方側に進む空気は、換気ユニット１０１ｃの左方側（図８に示す上方側）だけでなく、右方側（図８に示す下方側）にも進む。
【００７５】
換気ユニット１０１ｃの右方側に進んだ空気は、連結孔４２５を介して、隣接する換気ユニット１０１ｄの第２の通気路４２内に流入する。このとき、第２の通気路４２内に流入する空気は、破線領域Ｃに滞留し得る空気を押し流すことができ、破線領域Ｃで滞留が発生するのを防止することができる。
【００７６】
このように第４の実施の形態に係る換気構造１００では、隣接する換気ユニット１０１間に配置された第３の側壁３３における第２の側壁３２の近傍に連結孔４２５を設けたことから、第２の側壁３２と第３の側壁３３の隅部に発生し得る空気の滞留を防止することができる。これにより、第１の通気路４１における外筒箇所で発生する結露を効果的に防止することができる。
【００７７】
なお、第４の実施の形態に係る換気構造１００においては、連結孔４２５を単一の孔で構成している。しかしながら、連結孔４２５の構成については、これに限定されるものではなく適宜変更が可能である。第２の側壁３２と第３の側壁３３の隅部に発生し得る空気の滞留を防止することを条件として、任意の形状や数の連通孔を採用することができる。
【００７８】
（第５の実施の形態）
第５の実施の形態に係る換気構造１００が有する換気ユニットは、第４の側壁３４に、第１の開口部６以外の中間開口部を少なくとも１つ有する点で、第１の実施の形態に係る換気ユニット１０１と相違する。以下、第５の実施の形態に係る換気構造１００が有する換気ユニットの構成について、第１の実施の形態との相違点を中心に説明する。
【００７９】
図９及び図１０は、第５の実施の形態に係る換気構造１００が有する換気ユニット１０４の構成を示す上面図である。図９において、図２Ｂと共通の構成については、同一の符号を付与してその説明を省略する。図９及び図１０に示すように、換気ユニット１０４は、第４の側壁３４に複数（本実施の形態では、３つ）の中間開口部３４１〜３４３を有する点で、第１の実施の形態に係る換気ユニット１０１と相違する。
【００８０】
中間開口部３４１〜３４３は、第４の側壁３４における第１の開口部６よりも前方側の位置に形成されている。中間開口部３４１は、第４の側壁３４の最も後方側の位置に配置され、中間開口部３４３は、第４の側壁３４の最も前方側の位置に配置される。中間開口部３４２は、中間開口部３４１と中間開口部３４３との間の位置に配置される。例えば、中間開口部３４１、３４３は、中間開口部３４２を挟んで同一の間隔を空けて配置される。
【００８１】
これらの中間開口部３４１〜３４３は、第１の開口部６を通過することなく、第１の通気路４１から第２の通気路４２に空気を流入させる役割を果たす。より具体的にいうと、これらの中間開口部３４１〜３４３は、第１の通気路４１における第４の側壁３４近傍を流れる空気の一部を第２の通気路４２内に流入させる。中間開口部３４１〜３４３から流入した空気は、第２の通気路４２における第４の側壁３４近傍の空気を換気ユニット１０４の左方側（図９に示す上方側）に流動させる。
【００８２】
ここで、中間開口部３４１〜３４３は、換気ユニット１０４の後方側に配置された中間開口部の方が、前方側に配置された中間開口部よりも通気量が大きく構成されている。すなわち、開口部３４１が最も通気量が大きく、これに続いて開口部３４２、３４３の順番に通気量が小さくなるように構成されている。これらの通気量は、中間開口部３４１〜３４２の開口面積の大きさで調整される。或いは、中間開口部３４１〜３４３の位置や開口角度により、これらの通気量を調整するようにしてもよい。なお、第１の開口部６の通気量は、中間開口部３４１の通気量より大きくなるように構成される。
【００８３】
また、図１０に示すように、最も前方側に配置される中間開口部３４３は、換気ユニット１０４の前後方向の長さをＬとした場合に、第１の側壁３１からの距離がＬ／４よりも後方側の位置に配置されている。このように中間開口部３４３を配置することにより、中間開口部３４３を通過して流入する空気が、第２の通気路４２内の気流に悪影響を及ぼすのを防止することができる。
【００８４】
ここで、第５の実施の形態における第２の通気路４２内の気流について、図３及び図９を参照して説明する。第１の実施の形態に係る第２の通気路４２においては、上述したように、換気ユニット１０１の前方側に進む空気が、換気ユニット１０１の右方側（図３に示す下方側）に引き寄せられながら進む。この場合、換気ユニット１０１の後方側では第５の側壁３５側に気流が集中し、換気ユニット１０１の前方側では第４の側壁３４側に気流が集中する事態が発生し得る。これにより、気流が通過しない部分に空気が滞留する箇所（図９に示す破線領域Ａ、Ｂ参照）が発生する事態が想定される。
【００８５】
第５の実施の形態において、中間開口部３４１〜３４３は、換気ユニット１０４の右方側（図９に示す右方側）に引き寄せられる空気の経路の右方側に配置されている。このため、中間開口部３４１〜３４３から流入する空気は、換気ユニット１０４の右方側に引き寄せられる空気を換気ユニット１０４の左方側に押し流しながら前方側に進む。このため、第２の通気路４２における第４の側壁３４近傍の破線領域Ａに滞留し得る空気を押し流すことができ、破線領域Ａで滞留が発生するのを防止することができる。また、第５の側壁３５近傍の破線領域Ｂに滞留し得る空気を押し流すことができ、破線領域Ｂで滞留が発生するのを防止することができる。
【００８６】
このように第５の実施の形態に係る換気ユニット１０４では、第４の側壁３４に中間開口部３４１〜３４３を設けたことから、第１の通気路４１の第４の側壁３４近傍を流動する空気の一部を中間開口部３４１〜３４３から第２の通気路４２に流入させることができる。これにより、第２の通気路４２における第４の側壁３４や第５の側壁３５近傍で空気が滞留するのを防止することができる。
【００８７】
特に、中間開口部３４１〜３４３は、第２の側壁３２側の方が第１の側壁３１側よりも通気量が大きく構成されることから、第１の通気路４１の第４の側壁３４近傍を流動する空気の一部を有効に分散させながら第２の通気路４２に流入させることができる。これにより、第２の通気路４２における第４の側壁３４近傍で空気が滞留するのを効果的に防止することができる。
【００８８】
なお、第５の実施の形態に係る換気ユニット１０４においては、第４の側壁３４に３つの中間開口部３４１〜３４３を形成する場合について説明している。しかしながら、第４の側壁３４に形成される中間開口部の数については、これに限定されるものではなく適宜変更が可能である。第２の通気路４２内の気流を分散しながら流動させることを条件として、単一の中間開口部や、２つ又は４つ以上の複数の中間開口部を形成してもよい。
【００８９】
なお、本発明は上記実施の形態に限定されず、さまざまに変更して実施可能である。上記実施の形態において、添付図面に図示されている部材や孔などの大きさや形状などについては、これに限定されず、本発明の効果を発揮する範囲内で適宜変更が可能である。その他、本発明の目的の範囲を逸脱しない限りにおいて適宜変更して実施可能である。
【産業上の利用可能性】
【００９０】
以上説明したように、本発明は、製造コストの上昇を抑制しつつ、据付台内の通気路における結露の発生を効果的に防止することができるという効果を有し、特に、物流センター等に設置される冷蔵冷凍庫に有用である。
【符号の説明】
【００９１】
１  冷蔵冷凍庫
１００  冷蔵冷凍庫用換気構造（換気構造）
１０１、１０１´  換気ユニット
１０２〜１０４  換気ユニット
２  フロア
３  据付台
３１  第１の側壁
３２  第２の側壁
３３  第３の側壁
３４  第４の側壁
３４１〜３４３  開口部
３５  第５の側壁
４  通気路
４１  第１の通気路
４２  第２の通気路
４２１、４２２  構造部材
４２３  間隙
４２４、４２４ａ、４２４ｂ  案内板
４２５  連結孔
５  給気ファン（給気手段）
６  第１の開口部（第１の排気孔）
７  第２の開口部（第２の排気孔）
８  排気ファン
９  第３の開口部（吸気孔）
【図１】
2019032128.tif 000003
【図２】
2019032128.tif 000004
【図３】
2019032128.tif 000005
【図４】
2019032128.tif 000006
【図５】
2019032128.tif 000007
【図６】
2019032128.tif 000008
【図７】
2019032128.tif 000009
【図８】
2019032128.tif 000010
【図９】
2019032128.tif 000011
【図１０】
2019032128.tif 000012